(57)【要約】【課題】  一次側の電力を各住宅へ分配するための端子台における接続スペースの有無に関係なく、迅速且つ確実に接続することができ、各住宅に非常用の電力を短時間で供給することのできる送電ケーブル接続具を提供する。【解決手段】  一次側から電力が供給されると共に、該一次側の電力を二次側の電力として各住宅に供給すべく、各住宅に配線された複数本の低圧線の端子が固着された導電性の端子台に接続可能に構成され、一次側からの電力供給が絶たれたときに、該端子台に非常用電力供給源からの電力を送る送電ケーブルを接続するための送電ケーブル接続具であって、相対的に接離可能に構成され、少なくとも端子台を狭持可能に構成された一対の狭持体と、該一対の狭持体同士を接離させる作動部とを備えてなり、前記一対の狭持体は、少なくとも何れか一方が導電性を有すると共に前記送電ケーブルに対して電気的に接続可能に構成され、作動部は、一対の狭持体に所定の狭持力を作用させるように構成されてなることを特徴とする。【選択図】図１
2006081332.tif 000002
【特許請求の範囲】
【請求項１】
一次側から電力が供給されると共に、該一次側の電力を二次側の電力として各住宅に供給すべく、各住宅に配線された複数本の低圧線の端子が固着された導電性の端子台に接続可能に構成され、一次側からの電力供給が絶たれたときに、該端子台に非常用電力供給源からの電力を送る送電ケーブルを接続するための送電ケーブル接続具であって、相対的に接離可能に構成され、少なくとも端子台を狭持可能に構成された一対の狭持体と、該一対の狭持体同士を接離させる作動部とを備えてなり、前記一対の狭持体は、少なくとも何れか一方が導電性を有すると共に前記送電ケーブルに対して電気的に接続可能に構成され、作動部は、一対の狭持体に所定の狭持力を作用させるように構成されてなることを特徴とする送電ケーブル接続具。
【請求項２】
前記作動部は、雄ネジ体と、該雄ネジ体を螺嵌する雌ネジ体と、雄ネジ体の回転トルクを管理可能なトルク管理手段とを備えてなり、一方の狭持体が雄ネジ体又は雌ネジ体の何れか一方に連結されてなる請求項１記載の送電ケーブル接続具。
【請求項３】
各端子は、所定の間隔を有して端子台に固着されてなり、前記狭持体は、端子間で端子台を狭持可能に形状設定されてなる請求項１又は２記載の送電ケーブル接続具。
【請求項４】
請求項１乃至３の何れかに記載の送電ケーブル接続具と、該送電ケーブル接続具における少なくとも何れか一方の狭持体に対し、非常用電力供給源からの電力を供給可能に接続された前記送電ケーブルとを備えてなることを特徴とする非常用送電ケーブル。
【発明の詳細な説明】
【技術分野】
【０００１】
本発明は、各住宅に配線された複数本の低圧線の端子が固着された端子台に対し、非常用電力供給源からの電力を供給する送電ケーブルを接続するための送電ケーブル接続具、及び、該送電ケーブル接続具と前記送電ケーブルとを備えた非常用送電ケーブルに関する。
【背景技術】
【０００２】
近年、景観を考慮して、各住宅への送電を行う送電線を地下に埋設する傾向にある。この地下に埋設された送電線は、一次側の高圧電力を送電する高圧線と、一次側の高圧の電力が低圧にされた電力を各住宅に送電する低圧線とにより構成されている。
【０００３】
高圧線と低圧線とは、変圧器を介して接続されており、低圧線の途中には、その低圧電力を各住宅に分配するための低圧分配箱が設けられている。
【０００４】
前記低圧分配箱内には、変圧器に接続された一次側の低圧線に電気的（通電可能）に接続された端子台が設けられている。前記端子台は、導電性を有しており、例えば、帯状の金属プレートにより構成されている。該端子台には、各住宅に配線された複数本の低圧線（二次側の低圧線）のそれぞれの先端に取り付けられた端子が、端子台の長手方向に所定の間隔を有して配置され、螺子を介して固着されている。
【０００５】
ところで、何らかの原因によって低圧分配箱（端子台）への電力供給が絶たれた場合、非常用送電車に搭載した非常用電力供給源（例えば、発電機）を非常用送電ケーブルを介して端子台に接続し、非常用電力供給源から電力を送電して各住宅の停電を短期で復旧するようにしている。
【０００６】
前記端子台への非常用送電ケーブルの接続は、該非常用送電ケーブル（送電ケーブル）の先端に取り付けられた端子を、端子台の空きスペースに螺子を介して固着することにより行われている。即ち、住宅の増加等を予定して、二次側の低圧線の端子を接続できるように空けてある端子台の接続スペースに非常用送電ケーブルの端子をネジを介して固着することにより行われている。
【発明の開示】
【発明が解決しようとする課題】
【０００７】
しかしながら、低圧分配箱の設置される地域によっては、その低圧分配箱内の端子台に非常用送電ケーブルの端子を接続する空きスペース（接続スペース）がない場合ある。すなわち、端子台に端子を接続する部分が、各住宅に配線された低圧線の接続によって満杯状態になっている場合があり、停電等が発生した際に、非常用送電ケーブルを接続することができない場合があった。
【０００８】
また、仮に端子台に空きスペースがあったとしても、上述の如く、非常用送電ケーブルの端子を螺子を介して接続するため、緊急を要する停電の復旧時において、作業が煩雑で短時間での接続ができない場合があった。
【０００９】
そこで、本発明は、一次側の電力を各住宅へ分配するための端子台における接続スペースの有無に関係なく、迅速且つ確実に接続することができ、各住宅に非常用の電力を短時間で供給することのできる送電ケーブル接続具、及び非常用送電ケーブルを提供することを課題とする。
【課題を解決するための手段】
【００１０】
本発明は送電ケーブル接続具は、一次側から電力が供給されると共に、該一次側の電力を二次側の電力として各住宅に供給すべく、各住宅に配線された複数本の低圧線の端子が固着された導電性の端子台に接続可能に構成され、一次側からの電力供給が絶たれたときに、該端子台に非常用電力供給源からの電力を送る送電ケーブルを接続するための送電ケーブル接続具であって、相対的に接離可能に構成され、少なくとも端子台を狭持可能に構成された一対の狭持体と、該一対の狭持体同士を接離させる作動部とを備えてなり、前記一対の狭持体は、少なくとも何れか一方が導電性を有すると共に前記送電ケーブルに対して電気的に接続可能に構成され、作動部は、一対の狭持体に所定の狭持力を作用させるように構成されてなることを特徴とする。なお、ここで一次側の電力とは、高圧の電力及び低圧の電力を含む概念であり、二次側の電力とは、低圧の電力を意味するものである。従って、一次側の電力が高圧である場合には、二次側の電力は、一次側の電力が変圧された低圧の電力をいい、一次側に電力が低圧である場合には、二次側の電力は、一次側からそのまま流れてきた低圧の電力を意味するものである。
【００１１】
上記送電ケーブル接続具によれば、相対的に接離可能に構成され、少なくとも端子台を狭持可能に構成された一対の狭持体と、該一対の狭持体同士を接離させる作動部とを備えているので、端子台を狭持体で狭持させるだけで送電ケーブルを端子台に通電可能（電気的）に接続することができる。これにより、送電ケーブルを端子台に対してネジを介して接続する必要がなく、迅速且つ確実な接続を行うことができる。また、一対の狭持体で少なくとも端子台を狭持するように構成されているので、例えば、端子台に端子を接続するための空きスペースがなくても、端子と共に端子台を狭持することで非常用送電ケーブルを端子台に対して電気的に接続することができる。その上、作動部は、一対の狭持体に所定の狭持力を作用させるように構成されているので、一対の狭持体で端子台等を狭持した状態で接点不良が起きることが無く、安定した送電が可能である。即ち、作動部によって一対の狭持体に所定の狭持力を作用させれば、該狭持体と端子台等との接触状態を確実なものにすることができ、通電不良等の発生を防止することができる。
【００１２】
この場合、前記作動部は、雄ネジ体と、該雄ネジ体を螺嵌する雌ネジ体と、雄ネジ体の回転トルクを管理可能なトルク管理手段とを備えてなり、一方の狭持体が雄ネジ体又は雌ネジ体の何れか一方に連結されてもよい。このようにすれば、雄ネジ体を軸心周りで回転させることで、該雄ネジ体と雌ネジ部とが軸心方向で相対移動することになる。これにより、雄ネジ体と雌ネジ体との相対的な移動に伴い、該雄ネジ体又は雌ネジ体に連結された狭持体が移動することになり、一対の狭持体が相対的に接離することになる。
【００１３】
そして、トルク管理手段によって雄ネジ体の回転トルクを管理するようにすれば、雄ネジ体と雌ネジ体との軸心方向における相対的な軸力（力）を管理することができ、一対の狭持体に所定の狭持力を作用させることができる。これにより、狭持体で端子台を確実に狭持できることは勿論のこと、作動部の雄ネジ体や雌ネジ体等に必要以上に力が作用して、これらが破損する等といった事態になるのを防止することができる。
【００１４】
また、各端子は、所定の間隔を有して端子台に固着されてなり、クランプ部の狭持体は、端子間で端子台を狭持可能に形状設定されることが好ましい。このようにすれば、プレート状に端子台のみを狭持できることになり、端子等を介在させることなく、端子台に直接的に非常用電力を供給することができる。すなわち、端子を躱して端子台を狭持できれば、端子台がプレート状をなすので、狭持体と端子台との接地面積が大きくなり、送電時の抵抗の増加や、接点不良等になるのをよりいっそう防止することができる。
【００１５】
本発明に係る非常用送電ケーブルは、請求項１乃至３の何れかに記載の送電ケーブル接続具と、該送電ケーブル接続具における少なくとも何れか一方の狭持体に対し、非常用電力供給源からの電力を供給可能に接続された前記送電ケーブルとを備えてなることを特徴とする。
【００１６】
かかる非常用送電ケーブルによれば、相対的に接離可能に構成され、少なくとも端子台を狭持可能に構成された一対の狭持体と、該一対の狭持体同士を接離させる作動部とを備えた送電ケーブル接続具を備えているので、端子台を狭持体で狭持させるだけで送電ケーブルを端子台に通電可能（電気的）に接続することができる。これにより、送電ケーブルを端子台に対してネジを介して接続する必要がなく、迅速且つ確実な接続を行うことができる。また、一対の狭持体で少なくとも端子台を狭持するように構成されているので、例えば、端子台に端子を接続するための空きスペースがなくても、端子と共に端子台を狭持することで非常用送電ケーブルを端子台に対して電気的に接続することができる。
【００１７】
その上、作動部は、一対の狭持体に所定の狭持力を作用させるように構成されているので、一対の狭持体で端子台等を狭持した状態で接点不良が起きることが無く、安定した送電が可能である。即ち、作動部によって一対の狭持体に所定の狭持力を作用させれば、該狭持体と端子台等との接触状態を確実なものにすることができ、通電不良等の発生を防止することができる。
【発明の効果】
【００１８】
以上のように、本発明に係る送電ケーブル接続具によれば、一次側の電力を各住宅へ分配するための端子台における接続スペースの有無に関係なく、迅速且つ確実に接続することができ、各住宅に非常用の電力を短時間で供給することができるという優れた効果を奏し得る。
【００１９】
また、本発明に係る非常用送電ケーブルによれば、一次側の電力を各住宅へ分配するための端子台における接続スペースの有無に関係なく、迅速且つ確実に接続することができ、各住宅に非常用の電力を短時間で供給することができるという優れた効果を奏し得る。
【発明を実施するための最良の形態】
【００２０】
以下、本発明の送電ケーブル接続具及び非常用送電ケーブルに係る一実施形態について、添付図面を参照して説明する。
【００２１】
本実施形態に係る非常用送電ケーブルは、停電等によって各住宅への送電が停止されたときに、非常用電源から一時的に送電するためのものであるので、この非常用送電ケーブルの説明に先立ち、この非常用送電ケーブルが接続される配線系について概略説明する。
【００２２】
かかる配線系は、図１に示す如く、一次側の高圧電力を送電する高圧線Ｈと、該高圧電力を低圧にした電力を各住宅Ｘに送電する低圧線Ｌとにより構成されている。
【００２３】
高圧線Ｈと低圧線Ｌとは、地下に埋設されており、地上（路上）に設置された変圧器Ｔを介して接続されている。低圧線Ｌの途中には、低圧電力を各住宅Ｘに分配するための低圧分配箱Ｄが設けられている。これにより、低圧線Ｌは、変圧器Ｔと低圧分配箱Ｄとを接続する一次側低圧線Ｌ１と、低圧分配箱Ｄから各住宅Ｘに配線された二次側低圧線Ｌ２とに区別される。低圧分配箱Ｄの内部には、図２に示す如く、一次側低圧線Ｌ１に電気的に接続された端子台３０が設けられている。該端子台３０は、導電性を有する帯状の金属プレートで構成されており、各二次側低圧線Ｌ２に接続された後述する端子３１をネジ３２を介して接続すべく複数のネジ穴３３が穿設されている。該複数のネジ穴３３は、各二次側低圧線Ｌ２の端子３１を取り付けた状態で、隣接する端子３１の間に所定の間隔があくように設けられている。
【００２４】
前記二次側低圧線Ｌ２は、一端側が各住宅Ｘに向けて配線されており、他端部には端子３１が圧着されている。この端子３１には、ネジ３２を挿通するための貫通穴が穿設されており、この貫通穴に挿通したネジ３２を低圧分配箱Ｄの端子台３０に穿設したネジ穴３３に螺着することにより、端子台３０に端子３１を固着できるようになっている。
【００２５】
本実施形態に係る非常用送電ケーブルは、前記変圧器Ｔや、それよりも上流側（高圧線Ｈ）、或いは、一次側低圧線Ｌ１で何らかの原因によって電力供給が絶たれた場合（停電になった場合）、非常用電力供給源ＰＧ（例えば、非常用送電車に搭載した発電機：図１参照）に接続した状態で前記端子台３０に直接接続し、各住宅Ｘへの送電を短時間で復旧できるようにするためのものである。
【００２６】
該非常用送電ケーブルは、図３に示す如く、非常用電力供給源ＰＧに直接的又は間接的に一端側が接続されるケーブル１０（送電ケーブル）と、該送電ケーブル１０の他端に連結（電気的に接続）された送電ケーブル接続具２０とで構成されている。
【００２７】
送電ケーブル１０は、上述の如く、一端側が、非常用電力供給源ＰＧに直接的又は間接的に接続可能に構成され、他端部には、後述するケーブル端子２１０に対して外嵌可能に筒状に形成された連結部１１が設けられている。該送電ケーブル１０は、使用態様によって一端側の形態を異にしており、別のケーブル（延長ケーブル）に接続する端子が設けられたり、非常用電力供給源ＰＧに接続する端子（図示せず）が設けられている。なお、延長ケーブルと非常用電力供給源ＰＧとの接続形態等が共通する場合には、両者に接続できる共通端子が設けられる。
【００２８】
前記送電ケーブル接続具２０は、端子台３０に対する狭持とその解除を行えるように相対的に接離可能に構成された一対の狭持体２１ａ，２１ｂと、該一対の狭持体２１ａ，２１ｂ同士を接離させる作動部２２とを備えており、作動部２２は、一対の狭持体２１ａ，２１ｂに所定の狭持力を作用させるように構成されている。
【００２９】
この送電ケーブル接続具２０について、より具体的に説明すると、該送電ケーブル接続具２０は、該送電ケーブル接続具２０のフレームを構成するコの字状をなす本体２３と、互いに接離可能に構成された一対の狭持体２１ａ，２１ｂと、該一対の狭持体２１ａ，２１ｂを接離させる作動部２２とで構成されている。
【００３０】
前記本体２３は、互いに対向する一対の片部２３ａ，２３ｂと、該片部２３ａ，２３ｂの一端同士を連結する接続部２３ｃとで構成されており、本実施形態においては、樹脂成形品が採用されている。該本体２３は、一方の片部２３ａに一方の狭持体２１ａが固着されている。その一方で、他方の片部２３ｂは、中空に形成されており、作動部２２の一部（後述する雄ネジ体２２０の一部）が内装されている。前記接続部２３ｃは、断面コの字状に形成されており、コの字にすることによって形成された溝部２３ｄが、一対の片部２３ａ，２３ｂの他端側に向くように形成されている。これにより、溝部２３ｄ内に他方の狭持体２１ｂの一部を挿入できるようになっており、該溝部２３ｄを形成する対向面によって他方の狭持体２１ｂの両側面を案内できるように構成されている。
【００３１】
本実施形態に係る一対の狭持体２１ａ，２１ｂのうちの一方の狭持体２１ａは、略長方形状のプレート状に形成されており、一方の片部２３ａの延出方向を長手方向にして、一方の片部２３ａにおける内面に固着されている。この一方の狭持体２１ａの短手方向の長さは、端子台３０に固着された端子３１間の間隔よりも短く設定されている。これにより、該一方の狭持体２１ａを端子３１間に配設できるようになっている。
【００３２】
他方の狭持体２１ｂは、導電性に優れた金属によって形成されており、直方体状に形成されており、長手方向の一端面には、前記送電ケーブル１０を接続するためのケーブル端子２１０が凸設されている。
【００３３】
該ケーブル端子２１０は、外観円柱状（本実施形態においては、円筒状）に形成されており、外径が前記送電ケーブル１０の連結部１１の内径に対応するように寸法設定されている。なお、送電ケーブル１０の抜け止めとしては、連結部１１に止めネジ（図示しない）を挿通し、止めネジによって送電ケーブル１０を圧着するようにしたり、半田付けにより固着させたりすることができる。
【００３４】
該他方の狭持体２１ｂは、上述の如く、本体２３の接続部２３ｃ（溝部２３ｄ）における対向面で案内されるようになっているので、両側面（少なくとも他端部の両側面）が前記対向面を摺接でき、且つ端子台３０に固着された端子３１間に配設できるように寸法設定されている。該他方の狭持体２１ｂは、作動部２２の一部（後述する雌ネジ体２２１）も構成するようになっており、長手方向の他端部には、後述する雄ネジ体２２０を螺嵌するネジ穴（雌ネジ）２２１ａが貫通して設けられている。
【００３５】
前記作動部２２は、棒状の雄ネジ体２２０と、雄ネジ体２２０を螺嵌する雌ネジ体２２１と、雄ネジ体２２０の回転トルクを管理可能なトルク管理手段２２２とで構成されている。
【００３６】
前記雄ネジ体２２０は、一端側の外周面にネジ溝が形成されたネジ部２２３と、他端側にこのネジ部２２３と同心に形成された軸部２２４とを備えている。該雄ネジ体２２０は、ネジ部２２３が前記接続部２３ｃの溝部２３ｄ内に介在し、且つ軸部２２４が他方の片部２３ｂ内に内装されるように設けられている。そして、該軸部２２４の先端部は、前記トルク管理手段２２２を連結すべく、断面六角形状の第一被接続部２２５ａが形成されている。該第一被接続部２２５ａは、他方の片部２３ｂの外面に形成された第一開口凹部２２６ａ内に内装されており、トルク管理手段２２２の後述する接続部を、第一開口凹部２２６ａ内に内装することで、第一被接続部２２５ａに対してトルクの伝達が可能な状態で着脱できるようになっている。
【００３７】
また、本実施形態においては、端子台３０に対する送電ケーブル接続具２０の接続姿勢によって、前記第一開口凹部２２６ａ内にトルク管理手段２２２を挿入できなくなるのを防止すべく、他方の片部２３ｂの先端側の端面にも開口凹部（第二開口凹部２２６ｂ）が形成されている。該第二開口凹部２２６ｂには、前記雄ネジ体２２０の軸部２２４の軸心と直交方向に軸心を位置させた第二軸体２２７の先端部（前記軸部２２４の第一被接続部２２５ａと同一に構成された第二被接続部２２５ｂ）が内装されている。該第二軸体２２７の他端部には、マイターギア２２８ａが設けられており、前記軸部２２４に設けられたマイターギア２２８ｂと噛合することで、第二軸体２２７の回転を雄ネジ体２２０に伝達できるようになっている。
【００３８】
前記トルク管理手段２２２には、いわゆるトルクハンドルが採用されており、前記第一接続部２２５ａ及び第二被接続部２２５ｂに対してトルク伝達可能に嵌合される筒状の接続部２２２ａが設けられている。つまり、本実施形態にかかる作動部２２は、一部を構成するトルクハンドル２２２が着脱可能に構成されている。このトルクハンドル２２２は、バネ等の付勢力を調節することで、設定したトルク以上で回転を伝達しないように構成されている。
【００３９】
本実施形態に係る非常用送電ケーブルＣは、以上の構成からなり、以下にこれの作動について説明する。
【００４０】
上述の如く、低圧分配箱Ｄへの電力が絶たれた場合、上記非常用電力ケーブルを端子台３０に接続することになる。即ち、停電時が発生したときには、送電ケーブル１０の一端側は、非常用電源供給源（非常用送電車に搭載した発電機）に接続され、送電ケーブル接続具２０が端子台３０に接続されることになる。
【００４１】
この際、図４及び図５に示す如く、一対の狭持体２１ａ，２１ｂ間に端子３１間の端子台３０が位置するように送電ケーブル接続具２０を配置し、この状態で接続、或いは事前に接続したトルクハンドル２２２を軸部２２４又は第二軸体２２７の軸心周りで回転させる。そうすると、該トルクハンドル２２２の回転が伝達され、雄ネジ体２２０は自己の軸心周りで回転することになり、他方の狭持体２１ｂ（雌ネジ体２２１）は、雄ネジ体２２０の回転に伴って一方の狭持体２１ａ側に移動することになる。この際、他方の狭持体２１ｂの他端部は、連結部１１の溝部２３ｄ内に存在しているので、当該狭持体は、雄ネジ体２２０の回転に従うことなく、連結部１１の対向面に沿って移動することになる。
【００４２】
そして、一対の狭持体２１ａ，２１ｂが端子台３０を狭持することになるが、トルクハンドル２２２に対して予め設定した回転トルクになるまで、トルクハンドル２２２の回転が雄ネジ体２２０に伝達され、他方の狭持体２１ｂは端子台３０を締め付けるように移動する。そして、設定トルクに到達すると、トルクハンドル２２２の回転が雄ネジ体２２０に伝達されなくなり、所定の狭持力を作用させて端子台３０が一対の狭持体２１ａ，２１ｂによって狭持され、送電ケーブル接続具２０の接続が完了する。この状態において、導電性を有する他方の狭持体２１ｂは、プレート状の端子台３０に対して均一で且つ確実に面接触した状態となっており、非常用電力供給源ＰＧから低圧電力を供給すると、端子台３０を介して各住宅Ｘに低圧の電力を供給することができる。
【００４３】
以上のように、本実施形態に係る非常用送電ケーブルＣは、相対的に接離可能な一対の狭持体２１ａ，２１ｂを具備する送電ケーブル接続具２０（非常用送電ケーブルＣ）を備えているので、端子台３０に対してネジ３２等を用いることなく接続することができ、接続作業を簡便に行うことができる。
【００４４】
また、該一対の狭持体２１ａ，２１ｂを接離させる作動部２２が、該一対の狭持体２１ａ，２１ｂに所定の狭持力を作用させるように構成されているので、端子台３０に対する狭持を確実なものにすることができ、接点不良等を起こすのを防止することができる。
【００４５】
さらに、作動部２２が雄ネジ体２２０、これが螺嵌される雌ネジ体２２１とを備えているので、雄ネジ体２２０を回転させるだけで、一対の狭持体２１ａ，２１ｂを接離させることができると共に、一対の狭持体２１ａ，２１ｂに対して十分な狭持力を作用させることができる。
【００４６】
さらに、作動部２２は、前記雄ネジ体２２０の回転トルクを管理するトルクハンドル２２２を備えているので、一対の狭持体２１ａ，２１ｂに作用させる狭持力を好適な状態で維持させることができ、この狭持体や、本体２３、作動部２２等に大きな力が作用して破損させてしまうといった事態になるのを防止することができる。
【００４７】
さらに、一対の狭持体２１ａ，２１ｂを端子３１間に配設できるように、該一対の狭持体２１ａ，２１ｂの形状及び寸法を設定したので、一対の狭持体２１ａ，２１ｂで端子台３０を狭持した状態で、プレート状をなす端子台３０に対して均一に面接触させることができ、抵抗の増加や接点不良等の発生を未然に防止することができる。
【００４８】
尚、本発明の送電ケーブル接続具及び非常用送電ケーブルは、上記実施形態に限定されるものではなく、本発明の要旨を逸脱しない範囲内において種々変更を加え得ることは勿論である。
【００４９】
上記実施形態において、送電ケーブル１０と送電ケーブル接続具２０とを接続して非常用送電ケーブルＣとしたが、例えば、送電ケーブル接続具２０を送電ケーブル１０とは別に準備しておき、必要に応じて適宜送電ケーブル１０を連結して使用するようにしてもよい。
【００５０】
上記実施形態において、トルクハンドル２２２を着脱自在に構成したが、これに限定されるものではなく、例えば、雄ネジ体２２０に対してトルクハンドル２２２（トルク管理手段２２２）を取り外し不能に連結した構成であってもよい。
【００５１】
上記実施形態において、雄ネジ体２２０の軸部２２４と第二軸体２２７とをマイターギア２２８ａ，２２８ｂを介して作動的に連結し、雄ネジ体２２０自体、或いは第二軸体２２７の何れからも回転を伝達できるようにしたが、これに限定されるものではなく、雄ネジ体２２０のみに回転を伝達できるようにしても勿論よい。但し、この場合においてもトルクハンドル２２２を取り外し可能に構成しても勿論よい。
【００５２】
上記実施形態において、端子台３０に固着された端子３１間を狭持するようにしたが、これに限定されるものではなく、例えば、図６に示す如く、端子台３０に固着された端子３１と共に、端子台３０を狭持するようにしても勿論よい。このようにしても、上述の如く、一対の狭持体２１ａ，２１ｂには所定の狭持力を作用させることができるので、接点不良等が発生することなく、送電ケーブル接続具２０を端子台３０に対して直接的、或いは間接的に接続することができる。従って、上記実施形態において、端子３１間の端子台３０を狭持すべく、一対の狭持体２１ａ，２１ｂの形状及び寸法を設定するようにしたが、これに限定されるものではなく、適宜変更は可能である。
【００５３】
上記実施形態において、本体２３及び一方の狭持体２１ａを一体的に樹脂成型したが、これに限定されるものではなく、例えば、本体２３及び一方の狭持体２１ａを導電性を有する金属で形成するようにしてもよい。この場合、本体２３、又は一方の狭持体２１ａに前記ケーブル端子２１０を電気的に連設し、これに送電ケーブル１０を接続するようにしてもよい。
【００５４】
上記実施形態において、一対の狭持体２１ａ，２１ｂに所定の狭持力を作用させるべく、作動部２２の一構成にトルクハンドル２２２を採用するようにしたが、これに限定されるものではなく、例えば、トルク管理手段２２２としてトルクレンチを採用するようにしてもよい。即ち、雄ネジ体２２０をボルト状に形成し、その頭部をトルクレンチを介して回転させるようにしてもよい。
【００５５】
上記実施形態において、他方の狭持体２１ｂを作動部２２の雌ネジ体２２１を兼用させ、雄ネジ体２２０の回転力を直接受けて軸心方向に移動させるようにしたが、これに限定されるものではなく、例えば、パンタグラフジャッキの如きリンク機構を介して他方の狭持体２１ｂを一方の狭持体２１ａに対して接離させるようにしてもよい。また、上記実施形態において、他方の狭持体２１ｂのみを移動させ、一方の狭持体２１ａに対して接離させるようにしたが、これに限定されるものではなく、例えば、他方の狭持体２１ｂを固定して、一方の狭持体２１ａを移動可能に構成したり、一対の狭持体２１ａ，２１ｂの何れも移動可能に構成して、相対的に接離できるようにしても勿論よい。
【００５６】
上記実施形態において、低圧分配箱Ｄと別個に設けられた変圧器Ｔで一次側の高圧の電力を低圧に変圧し、この低圧の電力を低圧分配箱Ｄの端子台３０に供給するようにしたが、これに限定されるものではなく、例えば、低圧分配箱Ｄ内に変圧器Ｔを設け、この変圧器Ｔを端子台３０に接続するようにしたものであってもよい。即ち、端子台３０及び変圧器Ｔは、必ずしも別の場所に配置されたものに限定されるものではなく、低圧分配箱Ｄ内に一緒に組み込まれても勿論よい。このような場合でも、上述の如く、送電ケーブル接続具２０を端子台３０に接続することで、非常用電力供給源ＰＧからの低圧の電力を供給できる。
【図面の簡単な説明】
【００５７】
【図１】本発明の一実施形態に係る非常用送電ケーブルが用いられる配線系の一例についての概念図を示す。
【図２】同実施形態に係る非常用送電ケーブルが接続される端子台及びそれに接続された端子の一部正面図を示す。
【図３】同実施形態に係る非常用送電ケーブルの一部送電ケーブルを含んだ接続具の一部断面を含んだ平面図を示す。
【図４】同実施形態に係る非常用送電ケーブルを端子台に接続した状態の正面図を示す。
【図５】同実施形態に係る非常用送電ケーブルを端子台に接続した状態の断面平面図を示す。
【図６】同実施形態に係る非常用送電ケーブルを別の形態で端子台に接続した状態の断面平面図を示す。
【符号の説明】
【００５８】
１０…送電ケーブル、１１…連結部、２０…接続具、２１ａ，２１ｂ…狭持体、２２…作動部、２３…本体、２３ａ，２３ｂ…片部、２３ｃ…接続部、２３ｄ…溝部、３０…端子台、３１…端子、３２…ネジ、３３…ネジ穴、２１０…ケーブル端子、２２０…雄ネジ体、２２１…雌ネジ体、２２１ａ…雌ネジ、２２２…トルクハンドル（トルク管理手段）、２２２ａ…接続部、２２３…ネジ部、２２４…軸部、２２５ａ…第一被接続部、２２５ｂ…第二被接続部、２２６ａ…第一開口凹部、２２６ｂ…第二開口凹部、２２７…第二軸体、２２８ａ，２２８ｂ…マイターギア、Ｃ…非常用送電ケーブル、Ｄ…低圧分配箱、Ｈ…高圧線、Ｌ…低圧線、Ｌ１…一次側低圧線、Ｌ２…二次側低圧線、Ｌ２…二次側低圧線、ＰＧ…非常用電力供給源、Ｔ…変圧器、Ｘ…住宅
【図１】
2006081332.tif 000003
【図２】
2006081332.tif 000004
【図３】
2006081332.tif 000005
【図４】
2006081332.tif 000006
【図５】
2006081332.tif 000007
【図６】
2006081332.tif 000008